(57)【要約】      （修正有）【課題】ランドセルの背負いベルトを子供の肩から横腹にぴったりフイットさせる。背負いベルトの下部の内側側の端部が子供の脇腹に鋭角に当たり、不快感や痛みを与えるのを防止するランドセルの背負いベルトの取付構造を提供する。【解決手段】ランドセルの左右一対の背負いベルトをランドセル本体の背板部の上部中央側の上端取付具に取付けられる左右一対の上部ベルトと、ランドセル本体の底部側の左右の下端取付具２６に取付けられる左右一対の下部ベルト２３とから形成する。下端取付具２６は下部ベルト２３の下部に取付けられる四角枠状の連結環２６ａと、連結環２６ａを係止するランドセル本体下部側に取付けられる係止部２６ｂとから形成する。左右一対の連結環２６ａの上部内側側を夫々外側方向にひねりを与えて形成する。【選択図】図１
0003164740.tif 000002
【実用新案登録請求の範囲】
【請求項１】
ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルトの下部及び下部ベルトの上部が連結具により夫々連結されるようになされたランドセルの背負いベルトの取付構造において、
前記下端取付具は前記下部ベルトの下部に取付けられる四角枠状の連結環と、該連結環を係止するランドセル本体下部側に取付けられる係止部とを有し、前記左右一対の連結環の上部内則側が夫々外側方向にひねられて形成されていることを特徴とするランドセルの背負いベルトの取付構造。
【請求項２】
ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルトの下部及び下部ベルトの上部が連結具により夫々連結されるようになされたランドセルの背負いベルトの取付構造において、
前記左右一対の上部ベルトの上部が夫々外方に凸状態で弯曲して形成され、前記左右一対の下部ベルトが内方に弯曲形成され、前記下端取付具は前記下部ベルトの下部に取付けられる四角枠状の連結環と、該連結環を係止するランドセル本体下部側に取付けられる係止部とを有し、前記左右一対の連結環の上部内則側が夫々外側方向にひねられて形成されていることを特徴とするランドセルの背負いベルトの取付構造。
【請求項３】
ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルトの下部及び下部ベルトの上部が連結具により夫々連結されるようになされたランドセルの背負いベルトの取付構造において、
前記上端取付具は板体とワイヤー状の接続部材とを有し、前記板体には挿通部が形成され、前記接続部材の上部に夫々内方に対向屈折させた内方折曲部が形成され、前記接続部材の下部に略Ｗ形状部が形成されていると共に，Ｗ形状部の中央に略台形上部が形成され、前記接続部材の内方折曲部が前記板体の挿通部に挿通され、略Ｗ形状部の左右の上方傾斜部に背負いベルトの左右一対の上部ベルトの上端が夫々離間した状態で取付けられ、前記左右一対の上部ベルトの上部が夫々外方に凸状態で弯曲して形成され、前記左右一対の下部ベルトが内方に弯曲形成され、前記下端取付具は前記下部ベルトの下部に取付けられる四角枠状の連結環と、該連結環を係止するランドセル本体下部側に取付けられる係止部とを有し、前記左右一対の連結環の上部内則側が夫々外側方向にひねられて形成されていることを特徴とするランドセルの背負いベルトの取付構造。
【考案の詳細な説明】
【技術分野】
【０００１】
本考案は、ランドセルの背負いベルトの取付構造に関し、更に詳細に説明すると、ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルト及び下部ベルトが連結具により夫々連結されるようになされたランドセルの背負いベルトの取付構造に関する。
【背景技術】
【０００２】
従来より、子供たちの通学通園時にランドセルが用いられている。このランドセルは左右一対の背負いベルトに腕を通してランドセル本体を背中に背負う形で使用されている。左右一対の背負いベルトは上部ベルトと下部ベルトとを有し、上部ベルトの上端は背板部の上部中央側の上端取付具に取付けられ、下部ベルトの下端はランドセル本体の底部側の左右の下端取付具に取付けられ、上部ベルトの下部と下部ベルトの上部が連結具としてのバックル等により夫々連結され、体格等に応じて長さを調節することができるようになされている。
【０００３】
また、ランドセルの背板部の基板の両側部と下部とに厚く形成したクッション材を配設し、背中の当たり感を減少させるようにしたものも存在している。更に特許文献１及び特許文献２に記載されているように、背負いベルトの上部ベルトが使用者の首に接触したりしないように上部ベルトの上部に弯曲部を形成した構成の肩ひもベルトも提案されている。
【先行技術文献】
【特許文献】
【０００４】
【特許文献１】特開２００３−２６５２１６
【特許文献２】登録実用新案第３１３５４０７
【考案の開示】
【考案が解決しようとする課題】
【０００５】
然し乍ら、ランドセルを背負っての歩行時、及び走り出した場合にランドセルが揺動せざるを得ず、ランドセル本体背面側が背中にぴったりフイットしない欠点を有し、また背負いベルトが脇腹に対して垂直に下がるため、連結具としてのバックル、取付尾錠が脇腹にフイットせず、このランドセルの揺動の際に、左右一対の背負いベルトの下部側の一側である内側側の端部が使用者の脇腹に鋭角に当たるのを防止する事ができず、使用者である子供等の脇腹または横腰部に圧迫感を与え、不快感や痛みを与える虞れを有していた。更に上部ベルトの首廻りがきつく、使用者の首の後ろ側から側部に掛けて上部ベルトが当たり、首廻りに不快感や痛みを与える虞を有していた。また、衣服等に摩擦を与え、損傷させる虞を有していた。
【０００６】
本考案の目的はランドセル本体が背中にぴったりフイットし、ランドセルの背負いベルトが使用者である子供の肩から脇腹にぴったりフイットし、ランドセルを背負っての歩行時、及び走り出した場合にランドセルが揺動するのを防止することができ、左右一対の背負いベルトの下部の一側である内側側の端部が使用者の脇腹や横腰部に鋭角に当たるのを防止することができ、使用者に不快感や痛みを与えるのを防止して快適にランドセルを背負って使用することができ、また左右一対の背負いベルトの上部ベルトが首廻りに不快感や痛みを与えるのを防止することができ、ランドセルを容易に背負うことができ、更に衣服等に摩擦を与え、損傷させる虞のないランドセルの背負いベルトの取付構造を提供するものである。
【課題を解決するための手段】
【０００７】
本考案は上述せる課題に鑑みてなされたもので、本考案の請求項１に記載のランドセルの背負いベルトの取付構造は、ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルトの下部及び下部ベルトの上部が連結具により夫々連結されるようになされたランドセルの背負いベルトの取付構造において、
前記下端取付具は前記下部ベルトの下部に取付けられる四角枠状の連結環と、該連結環を係止するランドセル本体下部側に取付けられる係止部とを有し、前記左右一対の連結環の上部内側側が夫々外側方向にひねられて形成されていることを特徴とする。
【０００８】
また、本考案の請求項２に記載のランドセルの背負いベルトの取付構造は、ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルトの下部及び下部ベルトの上部が連結具により夫々連結されるようになされたランドセルの背負いベルトの取付構造において、
前記左右一対の上部ベルトの上部が夫々外方に凸状態で弯曲して形成され、前記左右一対の下部ベルトが内方に弯曲形成され、前記下端取付具は前記下部ベルトの下部に取付けられる四角枠状の連結環と、該連結環を係止するランドセル本体下部側に取付けられる係止部とを有し、前記左右一対の連結環の上部内側側が夫々外側方向にひねられて形成されていることを特徴とする。
【０００９】
また、本考案の請求項３に記載のランドセルの背負いベルトの取付構造は、ランドセル本体と、左右一対の背負いベルトとを備え、前記背負いベルトはランドセル本体の背板部の上部中央側の上端取付具に取付けられる左右一対の上部ベルトと、ランドセル本体の底部側の左右の下端取付具に取付けられる左右一対の下部ベルトとを有し、前記上部ベルトの下部及び下部ベルトの上部が連結具により夫々連結されるようになされたランドセルの背負いベルトの取付構造において、
前記上端取付具は板体とワイヤー状の接続部材とを有し、前記板体には挿通部が形成され、前記接続部材の上部に夫々内方に対向屈折させた内方折曲部が形成され、前記接続部材の下部に略Ｗ形状部が形成されていると共に，Ｗ形状部の中央に略台形状部が形成され、前記接続部材の内方折曲部が前記板体の挿通部に挿通され、略Ｗ形状部の左右の上方傾斜部に背負いベルトの左右一対の上部ベルトの上端が夫々離間した状態で取付けられ、前記左右一対の上部ベルトの上部が夫々外方に凸状態で弯曲して形成され、前記左右一対の下部ベルトが内方に弯曲形成され、前記下端取付具は前記下部ベルトの下部に取付けられる四角枠状の連結環と、該連結環を係止するランドセル本体下部側に取付けられる係止部とを有し、前記左右一対の連結環の上部内側側が夫々外側方向にひねられて形成されていることを特徴とする。
【考案の効果】
【００１０】
本考案によれば、下端取付具は前記下部ベルトの下部に取付けられる四角枠状の連結環と、該連結環を係止するランドセル本体下部側に取付けられる係止部とを有し、前記左右一対の連結環の上部内側側が夫々外側方向にひねられて形成されているので、下部ベルトがランドセル本体下部側より角度がついて出てくることができ、左右一対の背負いベルトの下部の一側である内側側の端部が使用者の脇腹や横腰部に鋭角に当たるのを防止することができ、使用者に不快感や痛みを与えるのを防止して快適にランドセルを背負って使用することができる。
【００１１】
また上端取付具は板体とワイヤー状の接続部材とを有し、前記板体には挿通部が形成され、前記接続部材の上部に夫々内方に対向屈折させた内方折曲部が形成され、前記接続部材の下部に略Ｗ形状部が形成されていると共に，Ｗ形状部の中央に略台形上部が形成され、前記接続部材の内方折曲部が前記板体の挿通部に挿通され、略Ｗ形状部の左右の上方傾斜部に背負いベルトの左右一対の上部ベルトの上端が夫々離間した状態で取付けられるので、左右一対の背負いベルトの上部ベルトが首廻りに当たるのを防止することができ、またランドセルを容易に背負うことができ、更に衣服等に摩擦を与え、損傷させる虞のないランドセルの背負いベルトの取付構造を得ることができる。
【図面の簡単な説明】
【００１２】
【図１】本考案に係るランドセルの下端取付具の側面図。
【図２】本考案に係るランドセルの下端取付具の斜視図。
【図３】本考案に係るランドセルの左右一対の背負いベルトの正面図。
【図４】本考案に係るランドセルの上端取付具の正面図。
【図５】本考案に係るランドセルの下部の背面斜視図。
【図６】本考案に係るランドセルの背負いベルトの使用状態の斜視図。
【考案を実施するための形態】
【００１３】
以下、本考案に係るランドセルの背負いベルトの取付構造を図面を参照して説明する。
図１乃至図４には本考案に係るランドセルの背負いベルトの取付構造の実施の形態が夫々示されており、図１及び図２にはランドセルの下部ベルトの下端取付具の側面図及び斜視図が夫々示されており、図３にはランドセルの左右一対の背負いベルトの正面図が示され、図４には左右一対の背負いベルトの上部ベルトの上端を取付ける上端取付具の正面図が示されている。
【００１４】
図５及び図６に示す如く、ランドセル１１は、上部開口部を蓋体１９で開閉するランドセル本体１２と、このランドセル本体１２の背板部１３に固着された左右一対の背負いベルト１５とを備えている。背負いベルト１５はランドセル本体１２の背板部１３の上部中央側に取付けられる左右対称な左右一対の上部ベルト２１と、ランドセル本体１２の底部１４側に取付けられる左右対称な左右一対の下部ベルト２３とを有し、前記上部ベルト２１及び下部ベルト２３がビジョウ，バックル等の連結具２５等により夫々連結される。
【００１５】
そして、前記上部ベルト２１の上端２１ａは背板部１３の上部中央に固着された取付金具等からなる上端取付具１７に固着され、下部ベルト２３の下端２３ａには下端取付具２６が形成されている。前記上端取付具１７は板体４１とワイヤー状の接続部材４２とを有し、前記板体４１には上下方向に折り曲げられてワイヤー状の接続部材４２の挿通部４３が形成されている。尚、前記挿通部４３には掛止環４４の外方折曲部４４ａが挿通されている。また符号４５は挿通部４３の中央部に形成された切欠部である。
【００１６】
前記接続部材４２の上部に夫々内方に対向屈折させた内方折曲部４２ａが形成され、前記接続部材４２の下部に略Ｗ形状部４２ｂが形成されていると共に，Ｗ形状部４２ｂの中央に略台形状部４２ｃが上方に突出して形成されている。前記接続部材４２の内方折曲部４２ａが前記板体４１の挿通部４３に挿通され、略Ｗ形状部４２ｂの左右の上方傾斜部に背負いベルト１５の左右一対の上部ベルト２１の上端が夫々離間した状態で取付けられる。
【００１７】
前記Ｗ形状部４２ｂの左右のＶ字状の下端の間隔は従来のものに比べて広くなっており、Ｗ形状も偏平に形成されている。尚、中央の略台形状部４２ｃの形状も図示のものに限定されるものではなく、種々変形変更することができる。
【００１８】
前記下端取付具２６は、図１及び図２に示す如く、前記下部ベルト２３の下部に取付けられる四角枠状の連結環２６ａと、この連結環２６ａを係止するランドセル本体１２の下部側または底部側に取付けられる係止部２６ｂとを有し、前記左右一対の連結環２６ａの上部内側側が夫々外側方向にひねられて形成されている。尚、本実施の形態では係止部２６ｂがランドセル本体１２の底部１４側に取付けられる取付基板に回動可能に取付けられる。
【００１９】
そして、上部ベルト２１の下部２１ｂは、ランドセル本体１２の底部１４に取付けられた下部ベルト２３の先端２３ｂのビジョウ，バックル等の連結具２５に長さ調節可能に取付けられる。尚、図３に示す如く、上部ベルト２１の下部２１ｂには適宜の間隔で係止穴２９が形成され、この係止穴２９に連結具２５の係止ピン２５ａが挿入係止される。
【００２０】
また、図１及び図２に示す四角枠状の連結環２６ａと同様に、連結具２５の四角枠体２５ｂの上部を外側方向にひねってひねりを与え、これにより左右一対の背負いベルト１５の連結具２５の位置を外向きとすることができる。
【００２１】
ランドセル本体１２の背板部１３は、図示せざるも、硬質の合成樹脂板等より形成された芯材と、この芯材の表面に取付けられたクッション性の良好なパッド材と、パッド材の表面を被覆する表皮材としての皮革とを有し、前記パッド材は発泡スチロール、発泡ウレタン等より形成されている。芯材の裏面側には適宜の裏基布が貼合わされる。
【００２２】
図６に示す如く、背負いベルト１５の左右一対の上部ベルト２１は、使用者の肩に掛けらるれるので、内側と外側とで異なる材質の生地を用いるのが好ましく、内側と外側の生地の間にクッション性を有する詰め物を設けることもできる。
【００２３】
図３に示す如く、背負いベルト１５の上部ベルト２１の上部が夫々外方に凸状態に弯曲されて第１の弯曲部２２ａが形成され、上部ベルト２１の中央部から下部にかけて、内方に凸状態に弯曲されて第２の弯曲部２２ｂが夫々形成されている。また、前記左右一対の下部ベルト２３の中間部が内方または外方に弯曲されて第３の弯曲部２４ａが形成されている。
【００２４】
尚、本実施の形態では内方に凸状態に弯曲されて第３の弯曲部２４ａが形成されているが、弯曲状態は図示のものに限定されるものではない。また第２の弯曲部２２ｂを省略したり、または第２の弯曲部２２ｂの弯曲を小さくすることもできる。
【００２５】
前記上部ベルト２１の第２の弯曲部２２ｂが外側方向に捻じられると共に、下部ベルト２３の第３の弯曲部２４ａが内方に凸状態に弯曲されているので、腰上から横腹の位置でより効果的に外向きになり、子供の脇腹に優しくフィットさせることができる。
【００２６】
また直線状の下部ベルト２３を用いるものに比較して下部ベルト２３に内方に凸状態に弯曲された第３の弯曲部２４ａが形成されているので、即ち下部ベルト２３の先端２３ｂが外側に弯曲しているので、下部ベルト２３を所定の位置に回動させる場合の回動量を半減させることができ、左右一対の背負いベルト１５の間隔を拡げて背負う場合に容易に背負うことができる。
【００２７】
斯かる構成によれば、子供の脇腹に優しくフィットさせることができる。また上部ベルト２１の第２の弯曲部２２ｂと下部ベルト２３の第３の弯曲部２４ａとを合致させることができる。
【００２８】
本考案によれば、下端取付具は前記下部ベルトの下部に取付けられる四角枠状の連結環と、該連結環を係止するランドセル本体下部側に取付けられる係止部とを有し、前記左右一対の連結環の上部内側側が夫々外側方向にひねられて形成されているので、下部ベルトがランドセル本体下部側より角度がついて出てくることができ、左右一対の背負いベルトの下部の一側である内側側の端部が使用者の脇腹や横腰部に鋭角に当たるのを防止することができる。
【００２９】
また、上部ベルトが首廻りに当たるのを防止することができ、使用者に不快感や痛みを与えるのを防止して快適にランドセルを背負って使用することができ、構成が簡易で経済性に優れ、外観を向上させることができるランドセルの背負いベルトの取付構造を得ることができる。
【符号の説明】
【００３０】
１１    ランドセル
１２    ランドセル本体
１３    背板部
１４    底部
１５    背負いベルト
１７    上端取付具
２１    上部ベルト
２１ａ  上端
２１ｂ  下部
２２ａ  第１の弯曲部
２２ｂ  第２の弯曲部
２３    下部ベルト
２３ａ  下端
２３ｂ  先端
２４ａ  第３の弯曲部
２５    連結具
２５ａ  係止ピン
２５ｂ  四角枠体
２６    下端取付具
２６ａ  四角枠状の連結環
２６ｂ  係止部
２９    係止穴
４１    板体
４２    ワイヤー状の接続部材
４２ａ  内方折曲部
４２ｂ  Ｗ形状部
４２ｃ  略台形状部
４３    挿通部
４４    掛止環
【図１】
0003164740.tif 000003
【図２】
0003164740.tif 000004
【図３】
0003164740.tif 000005
【図４】
0003164740.tif 000006
【図５】
0003164740.tif 000007
【図６】
0003164740.tif 000008